(57)【要約】  本発明は，コンテンツに付随しているメタデータを生成する方法を開示しており，当該方法は，前記コンテンツの非圧縮のデジタル信号を取得するステップと，前記非圧縮のデジタル信号に対応するアナログ信号内にて生理学的に感知されることができる特徴に付随している，前記非圧縮のデジタル信号の特徴データを決定するステップと，前記特徴データに従って，生理的な感動に付随したメタデータを作成するステップとを有する。これゆえ，利用者は生理的な感動を反映しているメタデータを直接取得できる。
2009526301.tif 000002
【特許請求の範囲】
【請求項１】
コンテンツの非圧縮のデジタル信号を取得する取得ステップと，
前記非圧縮のデジタル信号に対応するアナログ信号内にて生理学的に感知されることができる特徴に付随している，前記非圧縮のデジタル信号の特徴データを決定する決定ステップと，
前記特徴データに従って，生理的な感動に付随したメタデータを作成する作成ステップとを有する，コンテンツに付随しているメタデータを生成する方法。
【請求項２】
前記コンテンツはビデオ信号である，請求項1に記載の方法。
【請求項３】
前記特徴データは，平均輝度情報，平均彩度情報及び場面変化情報のデータである，請求項2に記載の方法。
【請求項４】
前記取得ステップにて得られた前記非圧縮のデジタル信号が輝度ではないパラメータによって表されており，輝度ではないパラメータによって表されている非圧縮のデジタル信号を，輝度のパラメータによって表された非圧縮のデジタル信号へと変換するステップを更に有する，請求項2に記載の方法。
【請求項５】
前記コンテンツはオーディオ信号である，請求項1に記載の方法。  
【請求項６】
前記特徴データは特定の周波数及び具体的な周波数のサンプル値である，請求項5に記載の方法。
【請求項７】
前記生理的な感動に付随したメタデータは，陽気，陰鬱，速いリズム，遅いリズム，快活，又はリラックス，を有する，請求項1に記載の方法。
【請求項８】
前記非圧縮のデジタル信号は，前記コンテンツをもっている非圧縮のデジタル信号の一部である，請求項1に記載の方法。
【請求項９】
コンテンツの非圧縮のデジタル信号を取得するための取得手段と，
前記非圧縮のデジタル信号に対応するアナログ信号内にて生理学的に感知されることができる特徴に付随している，前記非圧縮のデジタル信号の特徴データを決定するための決定手段と，
前記特徴データに従って，生理的な感動に付随したメタデータを作り出す創出手段とを有する，コンテンツに付随しているメタデータを生成する装置。
【請求項１０】
前記コンテンツはビデオ信号である，請求項9に記載の装置。
【請求項１１】
前記特徴データは，平均輝度情報，平均彩度情報及び場面変化情報のデータである，請求項10に記載の装置。
【請求項１２】
前記取得手段にて得られた前記非圧縮のデジタル信号が，輝度ではないパラメータによって表されており，輝度ではないパラメータによって表されている前記非圧縮のデジタル信号を，輝度のパラメータによって表された非圧縮のデジタル信号へと変換する変換手段を更に有する，請求項10に記載の装置。
【請求項１３】
前記コンテンツはオーディオ信号である，請求項9に記載の装置。
【請求項１４】
前記特徴データは特定の周波数及び具体的な周波数のサンプル値である，請求項13に記載の装置。
【請求項１５】
前記生理的な感動に付随するメタデータは，陽気又は陰鬱，速いリズム又は遅いリズム，快活又はリラックス，を有する，請求項9に記載の装置。
【請求項１６】
前記非圧縮のデジタル信号は，前記コンテンツをもっている非圧縮のデジタル信号の一部である，請求項9に記載の装置。
【請求項１７】
前記コンテンツの非圧縮のデジタル信号を取得するコードと，
前記非圧縮のデジタル信号に対応するアナログ信号内にて生理学的に感知されることができる特徴に付随している，当該非圧縮のデジタル信号の特徴データを決定するコードと，
前記特徴データに従って，生理的な感動に付随したメタデータを作り出すためのコードとを有する，コンテンツに付随しているメタデータを生成するためのコンピュータプログラム。
【発明の詳細な説明】
【技術分野】
【０００１】
本発明は概して，メタデータを生成する方法及び装置に関し，特に，マルチメディアコンテンツのメタデータを生成する方法及び装置に関する。
【背景技術】
【０００２】
現代の通信技術の発展と共に，人々は多くの情報をいつでも手に入れられる。利用者にとって，豊富な情報をもつ興味深いコンテンツを見つけ出すことは高まる挑戦である。これゆえ，利用者によって必要とされる情報を都合良く取得し，蓄積するための，情報源を得る手段に対する差し迫った必要がある。
【発明の開示】
【発明が解決しようとする課題】
【０００３】
メタデータとは，「他のデータを説明しているデータ」である。メタデータは標準的で汎用な表現方法を供し，様々な形式でデジタル化された情報単位のための，及びリソース収集のための検索ツールを供する。メタデータは，（デジタル図書などの）多様化し，デジタル化されたリソースによって組織的に形成された流通している情報システムに対する総体的なツールとリンクとを供する。
【０００４】
メタデータは，データ検証及び情報検索の分野で使われることができ，所望のリソースを捜し，検証するために人々を援助する目的で主に使われている。しかし，現在取得できるメタデータは，通常，著者，タイトル，項目，地位等の簡単な情報に限られているのみである。
【０００５】
メタデータの重要なアプリケーションは，マルチメディアの推薦システム中に見出される。殆どの現在の推薦システムは，プログラムと利用者の嗜好とが一致したメタデータに基づくプログラムを推薦している。例えば，利用者が関連するコンテンツを見つけ出すのを援助するために，TV-Adviser及びPersonal TVが開発されてきた。
【０００６】
米国特許公報US 6785429B1（出願日：1999年7月6日，許諾日：2004年8月31日，譲受人：松下電器産業，日本）は，
−  複数の圧縮されたコンテンツを記憶するステップと，
−  顧客端末を介して特徴データを入力するステップと，
−  圧縮されたコンテンツから抽出された特徴データを読み取り，圧縮されたコンテンツの特徴データを記憶するステップと，
−  記憶された特徴データの中から，顧客端末を介して入力された当該特徴データに近い特徴データを選択するステップと，
−  記憶されているコンテンツから，選択された特徴データをもっているコンテンツを抽出するステップとを有する，マルチメディアのデータ検索方法を開示している。この発明中の特徴データは，形，色，輝度，動き及び文字についての情報を表しており，これらの特徴データは圧縮されたコンテンツから取得され，蓄積装置内に記憶される。
【０００７】
利用者は，幾つかの単純な物理的パラメータしか持たないメタデータを必要としているのではなく，利用者の生理的な感動を直接反映できるパラメータを必要としていることが，研究によりわかった。例えば，あるプログラムのもつ色彩の雰囲気，及び当該プログラムのもつリズムの雰囲気が，当該プログラムがおもしろいかどうかを評価するための重要な要因となる。灰色に見えるプログラムをシステムが推薦しているのに対して，利用者がリッチで明るい色彩を持っている映画が好きな場合，利用者は失望させられるであろう。更に，システムによって推薦されたプログラムが遅いリズムの雰囲気をもっているのに対して，利用者がコンパクトなリズムの雰囲気をもつ映画が好きである場合，利用者はまたもや失望させられることであろう。
【０００８】
しかし現在のメタデータの規格，又は（例えばDVB，TV-Anytimeのような）推薦システムは，利用者の生理的な感動を直接反映できる斯様なメタデータを殆ど含んではおらず，よって，推薦システムの能力を直接下げている。
【課題を解決するための手段】
【０００９】
本発明の一つの目的は，利用者の生理的な感動を直接反映しているメタデータを生成する方法を供することである。
【００１０】
本発明の目的は，コンテンツに付随しているメタデータを生成する方法によって達成されることができる。最初に，前記コンテンツの非圧縮のデジタル信号が取得される。次に，前記非圧縮のデジタル信号に対応するアナログ信号内にて生理学的に感知されることができる特徴に付随している，前記非圧縮のデジタル信号の特徴データが決められ，最後に，前記特徴データに従って，生理的な感動に付随したメタデータが作り出される。
【００１１】
本発明の別の目的は，利用者の生理的な感動を直接反映することのできるメタデータを生成する装置を供することである。
【００１２】
本発明のこの目的は，コンテンツに付随しているメタデータを生成する装置によって達成される。前記装置は，
−  前記コンテンツの非圧縮のデジタル信号を取得する取得手段と，
−  前記非圧縮のデジタル信号に対応しているアナログ信号内にて生理学的に感知されることができる特徴に付随している，前記非圧縮のデジタル信号の特徴データを決定する決定手段と，
−  前記特徴データに従って生理的な感動に付随したメタデータを作成する作成手段とを有する。
【００１３】
本発明のより完全な理解と共に，本発明の他の目的及び功績は，添付の図及び請求項と併せた以下の説明によって明らかになり，理解されることであろう。
【００１４】
全ての図面を通じ，同一の引用数字は，同様の又は同一の特徴及び機能を表している。
【発明を実施するための最良の形態】
【００１５】
本発明は，コンテンツに付随しているメタデータを生成する方法を提供する。コンテンツは，放送，TV局又はインターネットなどの，どの情報源にも存在し，又は，どの情報源からも得ることができる。例えばコンテンツはTVのプログラムでもよい。メタデータは，当該コンテンツに付随しており，メタデータは前記コンテンツを説明しているデータである。前記メタデータは，前記コンテンツに対する，陽気，陰鬱，快活，リラックス，速いリズム，遅いリズム等などの，利用者の生理的な感動を直接反映することができる。
【００１６】
図1は，本発明の一つの実施例による，色彩の雰囲気を反映しているメタデータを生成する方法のフローチャートである。
【００１７】
最初に，コンテンツの非圧縮のデジタル信号が取得される（ステップS110）。非圧縮のデジタル信号とはデジタル信号が圧縮されていないことを意味し，例えば，前記コンテンツが対応するメタデータを生成できるよう作られているときには，前記方法によって当該コンテンツがデータ処理され，又は，非圧縮のデジタル信号とはデジタル信号が圧縮された後に解凍されたことを意味し，例えば前記コンテンツが対応するメタデータを生成できるように再生されるときは，前記方法によって当該コンテンツがデータ処理される。コンテンツの取得は，蓄積装置に事前に記憶されたコンテンツを読み取るか，又は非圧縮のデジタル情報を記憶するかのいずれかによって実現できる。
【００１８】
取得された非圧縮のデジタルビデオ信号は，画像の各フレームのYuv値（輝度，彩度，色収差）のような情報であることができる。
【００１９】
次に，前記非圧縮のデジタル信号に対応するアナログ信号内にて生理学的に感知されることができる輝度の特徴に付随している，前記非圧縮のデジタル信号の特徴データが決定される（ステップS120）。ビデオ情報内の生理学的な特徴に付随した特徴は，人間の眼によって感知できる輝度情報を含んでいる。ある特定の画像フレームの，人間の眼によって感知されることのできる特徴データを決定する方法は，ビデオ画像フレームの全てのピクセルの輝度値を平均化するステップを有し，これによって前記画像フレームの輝度を反映している特徴データを得る。決定された非圧縮のデジタルビデオ信号は複数の画像フレームである可能性があるので，得られた特徴データが複数存在し得る。 
【００２０】
一般的な一連の実験によって，プリセット値（輝度の臨界）が（Y1=85，Y2=170）と得られる。あるフレームの全てのピクセルの平均輝度値Y (特徴データ)が85未満であれば，前記フレームは「暗い」とラベル付けされ，85<Y<170であれば前記フレームは「普通」とラベル付けされ，Y>170 であれば「明るい」とラベル付けされる。例えば，あるフレームの全ピクセルの平均輝度値が（125，-11，11）のときは，前記フレームは普通の輝度をもっていると考えられる。
【００２１】
メタデータが利用者側で生成される場合，プリセット値（例えば輝度の臨界）は当該利用者によって調節されることができ，この結果，生成されたメタデータは特定の利用者の個人的な嗜好をより正確に反映することができる。
【００２２】
生理的な感動をより良く反映するために，好みの肌色（Y1=170，U1=-24，V1=29）及び(Y2=85，U2=-24，V2=29)を規定するための実験をすることが可能で，即ち，もしピクセルの平均輝度値YがY1よりも大きければ，この色は比較的明るく，もしY2<Y<Y1であれば，この色は普通であり，さもなければ，この色は暗い。
【００２３】
最後に，色彩の雰囲気に付随したメタデータが前記特徴データに従って作り出される（ステップS130）。前記ステップは，上で説明した特徴データをデータ処理し，プリセット値と比較し，そして最後に色彩の雰囲気を反映しているメタデータを得る。色彩の雰囲気は人の生理的な感動に付随している。例えば，色彩の雰囲気を反映しているメタデータは，ビデオコンテンツが明るいか，又は暗いかどうかを反映しているデータであることが可能である。
【００２４】
ラベル付けされた画像フレームの殆どのものが（例えば画像フレームの総数の2/3が）明るいと判断された場合，前記コンテンツの色彩の雰囲気を反映しているメタデータが，明るい色の雰囲気として得られることができる。決められた画像フレームの殆どのものが暗いと判断された場合，前記コンテンツの色彩の雰囲気を反映しているメタデータが，暗い色の雰囲気として得られることができる。決められた画像フレームの殆どのものが普通と判断された場合，前記コンテンツの色彩の雰囲気を反映しているメタデータが，普通の色の雰囲気として得られることができる。
【００２５】
前記方法は，輝度ではないパラメータによって表された非圧縮のデジタル信号を，輝度のパラメータによって表された非圧縮のデジタル信号へと変換するステップを更に含むことができる。ビデオ信号はRGB（赤，緑及び青の3原色）によって表されることができる。ステップS110にて得られた非圧縮のデジタル信号がRGBの色空間によって表されている場合， RGBによって表されたビデオ情報の輝度は表示装置の変更と共に変動するので，このステップにおいて，輝度ではないパラメータによって表された全てのビデオ情報は，輝度のパラメータによって表されたビデオ情報へと変換されねばならない。
【００２６】
図2は，本発明の一つの実施例によるリズムの雰囲気を反映しているメタデータを生成する方法のフローチャートである。
【００２７】
最初に，前記コンテンツの非圧縮のデジタル信号が得られる（ステップS210）。非圧縮のデジタル信号とはデジタル信号が圧縮されていないことを意味し，例えば，前記コンテンツを，対応するメタデータを生成できるよう作るときには，前記方法によって当該コンテンツがデータ処理され，又は，非圧縮のデジタル信号とはデジタル信号が圧縮された後に解凍されたことを意味し，例えば，対応するメタデータを生成できるように前記コンテンツを再生するときは，前記方法によって当該コンテンツがデータ処理される。コンテンツの取得は，蓄積装置に事前に記憶されたコンテンツを読み取るか，又は非圧縮のデジタル情報を記憶するかのいずれかによって実現できる。
【００２８】
この実施例で得られた非圧縮のデジタル信号は，各ビデオ画像フレームの輝度のヒストグラムである。当該輝度のヒストグラムでは，横軸は0から25までの輝度の値の範囲を表し，縦軸はピクセルの数を表す。
【００２９】
次に，前記非圧縮のデジタル信号に対応するアナログ信号内にて生理学的に検知されることができる場面の変更の特徴に付随している，前記非圧縮のデジタル信号の特徴データが決められる（ステップS220）。
【００３０】
輝度のヒストグラムは，画像フレーム内のピクセルの輝度分布を反映しており，従って画像フレームの輝度を反映している。現在のフレームの輝度ヒストグラムをHcと仮定し，基準フレームの輝度ヒストグラムをHRと仮定する。当該基準フレームは，通常，現在のフレームより前のフレームである。二つのフレーム間の輝度差dは，輝度成分間の差の絶対値を加算することによって計算され，次の式によって規定される：
2009526301.tif 000003
【００３１】
値dが特定の臨界値Tよりも大きい場合，場面は変わったと考えられる。これによって，二つの隣接フレームの場面の変化を反映している特徴データが，場面変化として得られる。例えば，720x576の大きさを持っている画像に関して，実験を通じてT = 256x400 = 102,400であり，輝度のレベルKが128であり，前のフレームと後続のフレームのグレイスケールのヒストグラムがHr(128)=700及びHc(128)=1200であるとすると，|Hr(128)-Hc(128)|=500が得られる。最後に，もしd>102,400である場合は，現在のフレームの場面は変わった。
【００３２】
最後に，リズムに付随するメタデータが，前記特徴データによって作り出される（ステップS230）。リズムのスピードは人の生理的な感情を反映している。得られた非圧縮のデジタル信号の場面変化の回数を計数するカウンタが使われ，得られた全フレームの場面変化を計数する。場面変化をもつフレーム数がフレームの総数の2/3を超える場合，生理的な感動に付随したメタデータが，速いリズムとして作り出され，場面変化をもつフレーム数がフレームの総数の1/3より少ない場合，生理的な感動に付随したメタデータが，遅いリズムとして作り出され，前記の数が両者の間である場合，メタデータが，普通のリズムとして作り出される。
【００３３】
メタデータが利用者側で生成される場合，プリセット値（T値）は当該利用者によって調節されることができ，この結果，生成されたメタデータは，特定の利用者の個人的な嗜好をより正確に反映することができる。
【００３４】
前記方法は，輝度ではないパラメータで表された非圧縮のデジタル信号を，輝度のパラメータによって表された非圧縮のデジタル信号へと変換するステップを含むことができる。ステップS210で得られた非圧縮のデジタル信号がRGB（赤，緑及び青の3原色）の色空間によって表されている場合，RGBによって表されたビデオ情報の輝度は表示装置の変更と共に変動するので，このステップにおいて，輝度ではないパラメータによって表された全てのビデオ情報は，輝度のパラメータによって表されたビデオ情報へと変換されねばならない。
【００３５】
本発明によって供されたメタデータを生成する方法において，得られた非圧縮のデジタル信号は，前記コンテンツの非圧縮のデジタル信号の一部であることも可能である。例えば，鍵となるビデオ信号の画像フレームの情報（例えば圧縮されたドメインのI-フレームに相当する画像フレーム）が読み取られることができるか，又は，非圧縮のデジタル信号が特定のサンプリング周波数に従って読み取られることができる。
【００３６】
メタデータは，簡単に次のように表現されることができる。
メタデータ「0」  ---- 明るい
メタデータ「1」  ---- 普通
メタデータ「2」  ---- 暗い
メタデータ「3」  ---- 速い
メタデータ「4」  ---- 普通
メタデータ「5」  ---- 遅い
【００３７】
複雑なメタデータに対しては，HTML，XMLなどの他の記述言語が関与する。
【００３８】
明らかに，上で説明された二つの実施例によれば，コンテンツが明るく速いリズムの両方であると決定された場合，好ましいコンテンツとしてメタデータが作り出されることができ，当該コンテンツが明るく遅いリズムの両方であると決定された場合，リラックスしたコンテンツとして，メタデータが作り出されることができる。生理的な感動を反映している，より多くのメタデータが，類推により，組み合わされて作り出される。
【００３９】
本発明で決められた特徴データが，人間の眼によって感知されることができる彩度及び色収差に付随することも明らかに可能である。
【００４０】
本発明はオーディオのデジタル信号に対しても明らかに適している。オーディオでのステップは，次の通りである。最初に，コンテンツの非圧縮のデジタルオーディオ信号が取得される。次に，当該デジタル信号に対応するアナログ信号内にて生理学的に感知されることができる特徴データが決められる。例えば，決定された特徴データは，ある特定の周波数でのオーディオ信号のサンプル値であることも可能で，ある特定の周波数でのデジタルオーディオ信号の当該サンプル値は，サンプリング周波数及び量子化精度（例えば24KHz，8ビット，この場合0〜255の範囲となる）に依存する。最後に，特定の周波数下でのサンプル値の統計的な結果を分析することによって，生理的な感動に付随したラウドネス，トーン，音色等などのメタデータが作り出されることができる。オーディオのリズムの雰囲気のバリエーションを反映しているメタデータに関しては，対応している周波数の臨界値を得るための実験を行うことが可能である。当該臨界値は，臨界値の周波数のサンプル値の変動の統計を通じて音楽のリズムのスピードを反映している。例えば，当該臨界値がf0=531と規定されていて，f>f0の場合，このリズムの雰囲気は「速く」，さもなければこのリズムの雰囲気は「遅い」。
【００４１】
図3は，本発明の一つの実施例によるメタデータを生成する装置の概観的なブロック線図である。
【００４２】
本発明はコンテンツに付随しているメタデータを生成するための装置も提供する。当該コンテンツは，放送，TV局，又はインターネット等などの，どの情報源にも存在でき，又は当該情報源から取り出すことができる。例えばコンテンツはTVプログラムであることも可能である。メタデータはコンテンツに付随しており，メタデータは前記コンテンツを説明しているデータである。前記メタデータは，陽気，陰鬱，リズムが速い，リズムが遅い，快活，リラックスした等などの，前記コンテンツに対する利用者の生理的な感動を直接反映することができる。
【００４３】
装置300は，取得手段310，決定手段320及び作成手段330を有する。
【００４４】
当該取得手段310は，前記コンテンツの非圧縮のデジタル信号を取得するために用いられる。非圧縮のデジタル信号とはデジタル信号が圧縮されていないことを意味し，又は，デジタル信号が圧縮された後に解凍されたことを意味する。コンテンツの取得は，蓄積装置に事前に記憶されたコンテンツを読み取るか，又は非圧縮のデジタル情報を記憶するかのいずれかによって実現できる。
【００４５】
取得手段310は，データ処理ユニットであることが可能である。
【００４６】
決定手段320は，前記非圧縮の信号に対応するアナログ信号内にて生理学的に感知されることができる特徴に付随した，前記非圧縮の信号の特徴データを決めるために使われる。ビデオ情報内の前記生理的な感動に付随した特徴は，人間の眼によって感知できる輝度，彩度等の情報を含んでいる。例えば，前記特徴データは，非圧縮のデジタルビデオ信号の特定の画像フレームの平均輝度の情報であることができる。前記特徴データは，ビデオ画像フレーム内の場面変化の情報であることもできる。
【００４７】
決定手段320は，データ処理ユニットであることが可能である。
【００４８】
作成手段330は，前記特徴データに従って，生理的な感動に付随したメタデータを作成するために使われる。当該作成手段は，生理的な感動を反映しているメタデータを最終的に得るために，決定された特徴データをプリセット値と比較するために用いられる。例えばメタデータは，ビデオコンテンツの色彩の雰囲気が陽気なのか，若しくは陰鬱なのかどうかを反映し，又はメタデータは当該コンテンツが快活なのか，若しくはリラックスしたのかどうかを反映しており，更にメタデータは，オーディオコンテンツの音量を反映しており，リズムの雰囲気が快活なのか，又はリラックスしたのか等を反映している。
【００４９】
作成手段330は，データ処理ユニットであることが可能である。
【００５０】
装置300は，輝度ではないパラメータによって表された非圧縮のデジタル信号を輝度によって表された非圧縮のデジタル信号へと変換するための，変換手段340もオプションで有することができる。ビデオ信号がRGB（赤，緑及び青の3原色）の色空間によって表されているとき，RGBによって表されたビデオ情報の輝度は表示装置の変更と共に変動するので，この変換手段340は，輝度ではないパラメータによって表された全てのビデオ情報を輝度のパラメータによって表されたビデオ情報へと変換するために用いられる。
【００５１】
本発明は，コンテンツに付随している前記メタデータを生成するためのコンピュータプログラムを具備し，適切にプログラムされたコンピュータによって実行されることも可能である。前記コンピュータプログラムは，
−  前記コンテンツの非圧縮のデジタル信号を取得するコードと，
−  前記非圧縮のデジタル信号に対応するアナログ信号内にて生理学的に感知できる特徴に付随している，当該非圧縮のデジタル信号の特徴データを決定するコードと，
−  前記特徴データに従って，生理的な感動に付随したメタデータを作り出すためのコードとを有する。斯様なコンピュータプログラムは，記憶担体上に記憶されることができる。
【００５２】
これらのプログラムコードは，マシンを作るためのプロセッサに供されることができ，この結果，前記プロセッサ上で実行されたコードは，上で説明された機能を実行するための手段を作り出す。
【００５３】
要約すると，非圧縮のデジタル信号の特徴データを取得し，データ処理することによって，本発明の，上で説明された実施例は，コンテンツの特徴を反映し，生理的な感動に付随したメタデータを手に入れる。非圧縮のデジタルデータは，小さなロスを蒙るのみであるのに対し，生成されたメタデータはコンテンツの特徴をより正確に反映することができる。
【００５４】
本発明は，図面及び前述の説明にて詳細に例示され，解説されてきたが，斯様な例示及び説明は実例又は事例と考えられ，制限するものではないと考えられる。本発明は，開示された実施例に限定されるものではない。
【００５５】
図面，開示及び添付された請求項の学習から，出願された発明を実施するなかで，開示された実施例に対する他のバリエーションが当業者によって理解され，実施されることが可能である。請求項において，「有する」との言葉は他の要素又はステップを排除することはなく，不定冠詞「a」又は「an」は「複数の」ものを排除することはない。単一のプロセッサ又は他のユニットが，説明中で列挙された幾つかの項目の機能を実行することが可能である。請求項中の如何なる参照記号も，範囲を限定するものとして解釈されるべきではない。
【図面の簡単な説明】
【００５６】
【図１】本発明の一つの実施例による，色彩の雰囲気を反映しているメタデータを生成する方法のフローチャートを示す。
【図２】本発明の一つの実施例による，リズムの雰囲気を反映しているメタデータを生成する方法のフローチャートを示す。
【図３】本発明の一つの実施例による，メタデータを生成する装置の概観的なブロック線図を示す。
【図１】
2009526301.tif 000004
【図２】
2009526301.tif 000005
【図３】
2009526301.tif 000006
【国際調査報告】
2009526301.tif 000007
2009526301.tif 000008